(57)【要約】【課題】本発明の課題は、特定の容器が規定位置に載置されたときに自動的にドリップ流路を開状態とし、同容器が規定位置から取り除かれたときに自動的にドリップ流路を閉状態とする開閉機構を搭載した成分抽出式飲料製造装置において、専用のコーヒーサーバーとは形状が異なる小型の容器に直接、成分抽出飲料をドリップすることができるようにすることである。【解決手段】本発明に係る成分抽出式飲料製造装置１００は、流路、容器収容空間ＳＰ、開閉機構１９４および固定部１６０を備える。容器収容空間には、容器が収容される。開閉機構は、流路を開閉する機構であって、少なくとも一部が容器収容空間内に露出している。固定部は、着脱自在に保持体２００を固定することができる。保持体は、容器収容空間中に第１空間を残しながら開閉機構の露出部分に当接することによって流路を開状態に保持するためのものである。【選択図】図８
2015223397.tif 000002
【特許請求の範囲】
【請求項１】
流路と、
前記流路から流れ出る流体を受ける容器を収容するための容器収容空間と、
少なくとも一部が前記容器収容空間内に露出しており、前記流路を開閉する開閉機構と、
前記容器収容空間中に第１空間を残しながら前記開閉機構の露出部分に当接することによって前記流路を開状態に保持するための保持体を着脱自在に固定することができる固定部と
を備える、成分抽出式飲料製造装置。
【請求項２】
前記開閉機構は、レバーと、前記レバーを回動可能に支持するレバー支持体とを有し、前記レバーが押し込まれた状態が維持されることによって前記流路を開状態に保持し、
前記容器収容空間には、前記レバーの少なくとも一部が露出しており、
前記保持体は、前記固定部に固定された際に前記レバーを押し込んだ状態に保持する
請求項１に記載の成分抽出式飲料製造装置。
【請求項３】
前記保持体は、前記レバーとの接触位置における幅寸法が前記レバーの幅寸法よりも広い
請求項２に記載の成分抽出式飲料製造装置。
【請求項４】
前記固定部は、前記保持体を回転自在に固定し、
前記保持体は、前記固定部で回転させられたとき、前記レバーに当接して前記レバーを押し込む
請求項２または３に記載の成分抽出式飲料製造装置。
【請求項５】
前記固定部を加熱するための発熱体をさらに備え、
前記保持体が前記固定部に固定された際に、前記保持体と前記固定部との間に空間が形成される
請求項１から４のいずれかに記載の成分抽出式飲料製造装置。
【請求項６】
台部と、
前記台部の上方に設けられる部分側壁部と、
前記台部の裏側に設けられる被固定部と
を備える、容器台。
【発明の詳細な説明】
【技術分野】
【０００１】
本発明は、コーヒーメーカー等の成分抽出式飲料製造装置に関する。また、本発明は、成分抽出式飲料製造装置において飲料容器としてコーヒーカップやマグカップ等のカップを利用可能にする容器台にも関する。
【背景技術】
【０００２】
過去に「コーヒーサーバーが規定位置に載置されたときに自動的にフィルタ支持体の底を開状態とし、コーヒーサーバーが規定位置から取り除かれたときに自動的にフィルタ支持体の底を閉状態とする開閉機構を搭載したコーヒーメーカー」が提案されている（例えば、特開２００７−３０１２２５号公報等参照）。
【０００３】
通常、このようなコーヒーメーカーでは、上記開閉機構と連動するレバーが、コーヒーサーバーの収容空間に配設されており、このレバーがコーヒーサーバーによって押し込まれることによってフィルタ支持体の底が開放される仕組みとなっている。
【先行技術文献】
【特許文献】
【０００４】
【特許文献１】特開２００７−３０１２２５号公報
【発明の概要】
【発明が解決しようとする課題】
【０００５】
ところで、コーヒーメーカーの使用者は、複数人用に一度に多量のコーヒー飲料を製造したいときもあれば、一人前分の量だけコーヒー飲料を製造したいときもある。そして、後者の場合、カップに直接ドリップすることができれば、コーヒーサーバーの洗浄の手間を省くことができ、使用者にとって好都合である。しかし、上述のようなコーヒーメーカーは、構造上、専用のコーヒーサーバーまたはそれに類似した形状のコーヒーサーバーを使用しない限りドリップすることができない。
【０００６】
本発明の課題は、特定の容器が規定位置に載置されたときに自動的にドリップ流路を開状態とし、同容器が規定位置から取り除かれたときに自動的にドリップ流路を閉状態とする開閉機構を搭載した成分抽出式飲料製造装置において、コーヒーカップやマグカップ等、専用のコーヒーサーバーとは形状が異なる小型の容器に直接、成分抽出飲料を滴下させることができるようにすることである。
【課題を解決するための手段】
【０００７】
本発明の第１局面に係る成分抽出式飲料製造装置は、流路、容器収容空間、開閉機構および固定部を備える。流路は、原料水（湯）や成分抽出飲料等が流れ得る液体通路である。容器収容空間には、容器が収容される。なお、容器は、流路から流れ出る流体を受けるものである。開閉機構は、流路を開閉する機構であって、少なくとも一部が容器収容空間内に露出している。なお、この開閉機構は、フィルタ支持体の底に設けられることが好ましい。固定部は、着脱自在に保持体を固定することができる。なお、固定方法は、嵌合（嵌込）であってもよい。保持体は、容器収容空間中に第１空間を残しながら開閉機構の露出部分に当接することによって流路を開状態に保持するためのものである。なお、ここにいう「第１空間」とは、所望の物体、例えば、コーヒーカップやマグカップ等を収容可能な空間である。また、この成分抽出式飲料製造装置において容器および保持体は付属品である。
【０００８】
この成分抽出式飲料製造装置には、上述の通り、固定部に保持体が保持されると、容器収容空間中に第１空間が形成されると共に流路が開状態に保持される。このため、第１空間の容量を、専用の容器とは形状が異なる小型の容器を収容可能な容量に設定すれば、使用者は、専用の容器よりも小型の容器に直接、成分抽出飲料を滴下させることができる。
【０００９】
本発明の第２局面に係る成分抽出式飲料製造装置は、第１局面に係る成分抽出式飲料製造装置であって、開閉機構は、レバーおよびレバー支持体を有する。レバー支持体は、レバーを回動可能に支持する。そして、この開閉機構は、レバーが押し込まれた状態が維持されることによって流路を開状態に保持する。また、容器収容空間には、レバーの少なくとも一部が露出している。そして、保持体は、固定部に固定された際にレバーを押し込んだ状態に保持する。すなわち、保持体は、固定部に固定された際に流路を開状態に保持する。
【００１０】
このため、この成分抽出式飲料製造装置では、従前のレバー機構を活用することができる。
【００１１】
本発明の第３局面に係る成分抽出式飲料製造装置は、第２局面に係る成分抽出式飲料製造装置であって、保持体は、レバーとの接触位置における幅寸法がレバーの幅寸法よりも広い。
【００１２】
このため、この成分抽出式飲料製造装置では、保持体は、レバーを押し込んだ状態を安定的に維持することができる。
【００１３】
本発明の第４局面に係る成分抽出式飲料製造装置は、第２局面または第３局面に係る成分抽出式飲料製造装置であって、固定部は、保持体を回転自在に固定する。また、保持体は、固定部で回転させられたとき、レバーに当接してレバーを押し込む。なお、以下の第６局面に係る容器台は、このような機能を発揮し得る。
【００１４】
このため、この成分抽出式飲料製造装置では、固定部への保持体の装着方向に自由度を持たせることができる。
【００１５】
本発明の第５局面に係る成分抽出式飲料製造装置は、第１局面から第４局面のいずれかに係る成分抽出式飲料製造装置であって、発熱体をさらに備える。発熱体は、固定部を加熱するためのものである。そして、この成分抽出式飲料製造装置では、保持体が固定部に固定された際に、保持体と固定部との間に空間が形成される。
【００１６】
このため、この成分抽出式飲料製造装置では、保持体上に載置されるコーヒーカップやマグカップ等のカップの過熱を防止することができる。
【００１７】
本発明の第６局面に係る容器台は、台部、部分側壁部および被固定部を備える。台部は、コーヒーカップやマグカップ等の容器を載置するための部分である。部分側壁部は、台部の上方に設けられる。なお、この部分側壁部は、支持体を介して容器台に接合されていてもよい。被固定部は、台部の裏側に設けられる。なお、被固定部は、嵌合部であってもよい。かかる場合、この被固定部は、凹形状であってもよいし、凸形状であってもよいし、凹形状と凸形状とを組み合わせた形状であってもよい。なお、この容器台は、上述の第１局面から第５局面のいずれかに係る成分抽出式飲料製造装置における保持体として利用することができる。なお、この容器台において、流路を開状態に保持する機能を有するのは、部分側壁部である。
【図面の簡単な説明】
【００１８】
【図１】本発明の実施の形態に係るコーヒーメーカーの蓋体を開状態としたときのコーヒーメーカーの外観斜視図である。
【図２】本発明の実施の形態に係るコーヒーメーカーの蓋体を開状態としたときのコーヒーメーカーの正面図である。
【図３】図２のＡ−Ａ断面図である。
【図４】図３において、レバーを奥側に押し込んだ時の状態を示す図である。
【図５】本発明の実施の形態に係るコーヒーメーカーの構成部品の一部を示す図である。
【図６】本発明の実施の形態に係るコーヒーメーカーの蓋体を取り外したときのコーヒーメーカーの上面斜視図であって、吐出管の使用状態および収容状態を示す図である。
【図７】本発明の実施の形態に係るコーヒーメーカーの筐体部品を示す図である。
【図８】本発明の実施の形態に係るコーヒーメーカーに付属するカップ台の斜視図である。
【図９】本発明の実施の形態に係るコーヒーメーカーに付属するカップ台の裏面図である。
【図１０】本発明の実施の形態に係るコーヒーメーカーに付属するカップ台をコーヒーメーカーの載置台に嵌め込んだ状態の簡易縦断面図である。
【発明を実施するための形態】
【００１９】
＜本発明の実施の形態に係るコーヒーメーカーの構成＞
本発明の実施の形態に係るコーヒーメーカー１００は、図１から図３に示されるように、主に、本体１１０、水タンク１４０およびフィルタ支持体１９０から構成されている。以下、これらの構成要素についてそれぞれ詳述する。なお、このコーヒーメーカー１００には複数の付属品が存在するが、これらの付属品については後述する。
【００２０】
１．本体
本体１１０は、図１から図３に示されるように、主に、筐体１２０、蓋体１３０、電源スイッチ１５０、載置台１６０、レバー機構１７０、液輸送管ユニット１８０、ヒーター（図示せず）、電源コード（図示せず）および電源プラグ（図示せず）から構成されている。以下、これらの構成部品について詳述する。
【００２１】
（１）筐体
筐体１２０は、樹脂や金属等の成形体であって、図１から図３に示されるように、主に、上側筐体部１２１、下側筐体部１２２および連結部１２３から構成されており、側面視または縦断面視において略コの字形状を呈している（図３参照）。以下、これらの構成要素について詳述する。
【００２２】
上側筐体部１２１は、図３に示されるように、主に、外側壁部１２１ａ、内側壁部１２１ｂ、仕切板部１２１ｃおよび天壁部１２１ｄから構成されている。外側壁部１２１ａは、略半円筒状を呈しており、図３に示されるように上側筐体部１２１の外側壁を構成している。内側壁部１２１ｂは、図３に示されるように略逆切頭円錐形状を呈しており、外側壁部１２１ａの内側に配設されている。そして、この内側壁部１２１ｂには、フィルタ支持体１９０が着脱自在に収容される。仕切板部１２１ｃは、図３に示されるように、外側壁部１２１ａと内側壁部１２１ｂとの間に形成される空間の背面側部分を上下に仕切っている。そして、図３に示されるように、その上側の部分空間（以下「上側部分空間」という）Ｓｕには液輸送管ユニット１８０の一部が収容されており、その下側の部分空間（以下「下側部分空間」という）Ｓｄにはレバー機構１７０のレバー１７１（後述）の一部が収容されている。天壁部１２１ｄは、図７に示されるように上部の背面側に形成されている。そして、この天壁部１２１ｄには、図７に示されるように管支持部１８２、窪みＣｖおよび排水路Ｐｕが形成されている。管支持部１８２は略円筒形状の部分であり、この管支持部１８２には吐出管１８１（後述）が回動自在に嵌め込まれる。窪みＣｖは、収容状態となった吐出管１８１から落ちてくる熱湯を受けるためのものである。排水路Ｐｕは、窪みＣｖで熱湯が受けきれなくなった場合に、その熱湯を内側壁部１２１ｂに沿って下方に流すためのものである。なお、この排水路Ｐｕを通って落ちる熱湯は、使用時にはコーヒーサーバーまたはカップに受け止められる。
【００２３】
下側筐体部１２２は、図１および図３に示されるように、略長円筒形状を呈している。そして、この下側筐体部１２２には、液輸送管ユニット１８０の一部およびヒーターが収容されている。また、図１から図３に示されるように、この下側筐体部１２２の前部の上面には載置台１６０が配設されている。さらに、この下側筐体部１２２の後部には、図３に示されるように水タンク収容部１２２ａが設けられている。この水タンク収容部１２２ａには、水タンク１４０の下側部分が着脱自在に収容される。また、この水タンク収容部１２２ａには、図３に示されるように注液機構１２５が配設されている。なお、この注液機構１２５に、水タンク１４０の底壁に設けられている栓機構（図示せず）が嵌合されると、液輸送管ユニット１８０と水タンク１４０とが連通して水タンク１４０内の水が液輸送管ユニット１８０に流れ込む。なお、このような仕組みは、公知の技術で実現することができるため、ここでは詳細な説明を省略する。
【００２４】
連結部１２３は、図１から図３に示されるように、上下方向に延びており、上側筐体部１２１と下側筐体部１２２とを連結している。この結果、連結部１２３の前方、上側筐体部１２１の下方、下側筐体部１２２の上方には、図１および図３に示されるように、容器収容空間ＳＰが形成されている。この容器収容空間ＳＰには、使用時すなわちコーヒー飲料製造時においてコーヒーサーバーやカップ台２００（後述）が収容される。また、この連結部１２３には、液輸送管ユニット１８０の一部が収容されている。
【００２５】
（２）蓋体
蓋体１３０は、図１から図３に示されるように、主に、天壁部１３１、側壁部１３２、部分円筒リブ１３３、押出リブ１３４、ヒンジ受け部１３５および蒸気孔１３６から構成されている。以下、これらの構成要素について詳述する。
【００２６】
天壁部１３１は、図１および図２に示されるように、山型の板部分である。なお、この天壁部１３１は、蓋体１３０が閉状態とされているとき、フィルタ支持体１９０および吐出管１８１の上方を覆う。
【００２７】
側壁部１３２は、蓋体１３０が閉状態である場合において、天壁部１３１の外縁から下方に向かって延びており、その下端が上側筐体部１２１の縁に当接する。
【００２８】
部分円筒リブ１３３は、蓋体１３０が閉状態である場合において、天壁部１３１の前側部分から下方に向かって延びており、下端がフィルタ支持体１９０の上端の内縁部分に当接する。なお、蓋体１３０が開状態から閉状態となるとき、部分円筒リブ１３３の切欠き箇所には吐出管１８１が位置する。
【００２９】
押出リブ１３４は、蓋体１３０を開状態から閉状態にする際に吐出管１８１の水平部分１８１ａを収容状態（図６の実線の状態。平面透視において吐出管１８１がフィルタ支持体１９０と重ならない状態すなわち平面透視において吐出管１８１がフィルタ支持体１９０の外部に位置する状態。）から使用状態（図６の破線の状態。平面透視において吐出管１８１の吐出口Ｍｓがフィルタ支持体１９０に重なると共に水平部分１８１ａが吐出口Ｍｓに向かうに従って下方に僅かに傾斜する状態、すなわち平面透視において吐出口Ｍｓがフィルタ支持体１９０の内部に位置すると共に水平部分１８１ａが吐出口Ｍｓに向かうに従って下方に僅かに傾斜する状態。なお、このとき、吐出管１８１の吐出口Ｍｓは、フィルタ支持体１９０の上方に位置している。）に移行させる（待機位置から使用位置に移動させる）ためのリブであって、蓋体１３０の裏面視において、ヒンジ受け部１３５の右側のピン受け孔の近傍から前方に向かうに従って右側に湾曲する円弧形状を呈している（図２参照）。また、この押出リブ１３４は、図３に示されるように、後端から前方に向かうに従って徐々に下方に傾斜している。また、この押出リブ１３４の先端部分は、吐出管１８１を安定して保持するために吐出管１８１の壁面の形状に沿った形状とされている。さらに、この押出リブ１３４の先端部分の高さは、蓋体１３０が閉状態とされた場合において吐出管１８１の水平部分１８１ａの先端を少し押し下げる程度の高さ、すなわち吐出管１８１の水平部分１８１ａを吐出口側に向かうに従って下方に僅かに傾斜させる程度の高さとされている。
【００３０】
ヒンジ受け部１３５には、ピン受け孔（図示せず）が形成されている。そして、このピン受け孔には、上側筐体部１２１の天壁部１２１ｄの背面側略中央に設けられるヒンジピン１２１ｅ（図６および図７参照）が係合される。本実施の形態に係るコーヒーメーカー１００では、このようにヒンジピン１２１ｅがピン受け孔に係合されることによって、蓋体１３０が開閉可能となっている。
【００３１】
蒸気孔１３６は、図１から図３に示されるように、天壁部１３１を貫通する円弧状の開口であって、使用時（コーヒー飲料製造時）において紙フィルタ上のコーヒー豆等の原料に供給される熱湯から立ち上る湯気を系外に排出する役目を担う。なお、本実施の形態に係るコーヒーメーカー１００では、図１および図２に示されるように天壁部１３１に３つの蒸気孔１３６が形成されている。
【００３２】
（３）電源スイッチ
電源スイッチ１５０は、図２に示されるように筐体１２０の下側筐体部１２２の正面に配設されている。本実施の形態に係るコーヒーメーカー１００において電源スイッチ１５０の右側部分が押し込まれると接点が閉じ、左側部分が押し込まれると接点が開く。そして、電源プラグが外部電源に接続された状態においてこの電源スイッチ１５０の操作により接点が閉じられると、電気回路が閉状態となって、ヒーターが発熱し出す。
【００３３】
（４）載置台
載置台１６０は、図１および図３に示されるように、中央部分が窪んだ金属製の皿状体であって、上述の通り、下側筐体部１２２の前部の上面に配設されている。そして、この載置台１６０の裏面には上述の通りヒーターが接触している。
【００３４】
（５）レバー機構
レバー機構１７０は、図２に示されるように、主に、レバー１７１および回動支持部１７２から構成されている。レバー１７１は、樹脂や金属等の成形体であって、図３に示されるように、主に、第１当接部１７１ａ、第２当接部１７１ｂおよび連結部１７１ｃから構成されており、回動支持部１７２によって前後方向に回動可能に支持されている。第１当接部１７１ａは、図３に示されるように、先端が半円形状を呈しており、容器収容空間ＳＰの奥側に位置している。なお、本実施の形態では、この第１当接部１７１ａは、図３に示されるように連結部１７１ｃの下端から前方に向かって延びている（すなわち、第１当接部１７１ａと連結部１７１ｃは、側面視または断面視において「く」の字または「Ｌ」字を形成している（図３参照）。）。第２当接部１７１ｂは、上側筐体部１２１の下側部分空間Ｓｄ内に位置している。そして、この第２当接部１７１ｂは、カップ台２００が回転されたときにカップ台２００の立壁部２０２の側面が第１当接部１７１ａに当接するように第１当接部１７１ａの初期位置を規定している。なお、この立壁部２０２の側面が第１当接部１７１ａに当接した後にさらにカップ台２００が回転されると、第１当接部１７１ａが立壁部２０２の背面によって奥側に押し込まれ、その結果、第２当接部１７１ｂが、フィルタ支持体１９０の底壁開閉レバー１９４の栓部１９４ｂを下方に回動させ、フィルタ支持体１９０の底の開口ＯＰを開放させる。連結部１７１ｃは、第１当接部１７１ａと第２当接部１７１ｂとを連結している。また、この連結部１７１ｃは、回動支持部１７２によって前後方向に回動可能に支持されている。
【００３５】
そして、コーヒーサーバーやカップ台２００等によってレバー１７１の第１当接部１７１ａが奥側に押し込まれると、図４に示されるように、レバー１７１の第２当接部１７１ｂが手前側に移動し、フィルタ支持体１９０の底壁開閉レバー１９４（後述）に当接して、フィルタ支持体１９０の底壁を開状態とする。このコーヒーメーカー１００では、この状態でドリップが実行されて、コーヒー飲料がコーヒーサーバーやカップ等に貯留される。
【００３６】
（６）液輸送管ユニット
液輸送管ユニット１８０は、図３および図５に示されるように、主に、吐出管１８１、管支持部１８２、カップラーＣＰ、弾性チューブ１８３、第１連結管１８４、第１Ｌ字管１８５、第２連結管（図示せず）、第２Ｌ字管１８６および注液機構１２５から構成されている。以下、これらの構成要素について詳述する。
【００３７】
吐出管１８１は、水平部分１８１ａおよび垂直部分（図示せず）からなる略Ｌ字状の管体であって、上述の通り、収容状態および使用状態の２つの状態を選択的に取り得る。垂直部分は、上側筐体部１２１の管支持部１８２に回動可能に嵌合されている。水平部分１８１ａは、図３に示されるように上側筐体部１２１の天壁部１２１ｄの上方に位置している。また、この吐出管１８１の垂直部分には、カップラーＣＰを介して弾性チューブ１８３が連結されている。
【００３８】
弾性チューブ１８３は、弾性を有するシリコーンゴム等のゴムや熱可塑性エラストマー製のチューブであって、上述の通り、吐出管１８１と第１連結管１８４とを連結している。なお、この弾性チューブ１８３は、上側筐体部１２１の上側部分空間Ｓｕに収容されている。そして、本実施の形態に係るコーヒーメーカー１００において、この弾性チューブ１８３は、吐出管１８１が収容状態となっているときは捻じれのない状態となっており、吐出管１８１が使用状態となっているときは捻じれた状態すなわち吐出管１８１が収容状態となる方向に向かって付勢された状態となっている。なお、上述の通り、使用状態では、蓋体１３０の押出リブ１３４によって吐出管１８１が保持されている。したがって、蓋体１３０が閉状態から開状態とされて押出リブ１３４が吐出管１８１から離間すると、弾性チューブ１８３の捻りによって生じた付勢力（弾性力）によって吐出管１８１が自動的に収容状態に戻される。
【００３９】
第１連結管１８４は、ステンレスや樹脂等の耐腐食性に優れる素材から形成される直管体であって、図５に示されるように弾性チューブ１８３と第１Ｌ字管１８５とを連結している。なお、この第１連結管１８４は、主に、筐体１２０の連結部１２３に収容されており、固定板材の挿通孔に通されることによって回転自在に固定されている。
【００４０】
第１Ｌ字管１８５は、ステンレスや樹脂等の耐腐食性に優れる素材から形成されるＬ字状の曲管体であって、第１連結管１８４と第２連結管とを連結している。なお、この第１Ｌ字管１８５は、下側筐体部１２２に収容されている。
【００４１】
第２連結管は、ステンレスや樹脂等の耐腐食性に優れる素材から形成される管体であって、第１Ｌ字管１８５と第２Ｌ字管１８６とを連結している。なお、この第２連結管は、筐体１２０の下側筐体部１２２内において載置台１６０の下方に配設されており、ヒーターに覆われている。
【００４２】
第２Ｌ字管１８６は、ステンレスや樹脂等の耐腐食性に優れる素材から形成される管体であって、第２連結管と注液機構１２５とを連結している。なお、この第２Ｌ字管１８６は、下側筐体部１２２に収容されている。
【００４３】
注液機構１２５は、上述の通り、下側筐体部１２２の水タンク収容部１２２ａに配設されている。そして、上述の通り、注液機構１２５に水タンク１４０の栓機構が嵌合されると、液輸送管ユニット１８０と水タンク１４０とが連通し、水タンク１４０内の水が液輸送管ユニット１８０に流れ込む。
【００４４】
（７）ヒーター
ヒーターは、液輸送管ユニット１８０の第２連結管を覆うと共に、載置台の下面に接触している。すなわち、ヒーターは、水タンク１４０から流入する水を加熱して湯を生成すると共に、ドリップ中にコーヒー飲料が冷めないように載置台１６０上の容器を加熱する。
【００４５】
（８）電源コードおよび電源プラグ
電源コードは、下側筐体部１２２の側壁を貫通して外方に向かって延びている。電源プラグは、電源コードの先端に取り付けられている。
【００４６】
２．水タンク
水タンク１４０は、コーヒー飲料製造中に液輸送管ユニット１８０に水を供給するためのものであって、図１および図３に示されるように、主に、容器本体１４１、蓋体１４２および栓機構（図示せず）から構成されている。容器本体１４１は、図３に示されるように、主に、略半円筒形状の側壁部１４１ａおよび半円板状の底壁部１４１ｂから構成されている。蓋体１４２は、半円板状の天壁部１４２ａおよび略半円筒形状の側壁部１４２ｂから構成されており、容器本体１４１の上部に着脱自在に取り付けられる。栓機構は、容器本体１４１の底壁部１４１ｂに配設されており、上述の通り、下側筐体部１２２の注液機構１２５に嵌め込まれることによって、液輸送管ユニット１８０と水タンク１４０とを連通させて水タンク１４０内の水を液輸送管ユニット１８０に送り込む役目を担っている。
【００４７】
３．フィルタ支持体
フィルタ支持体１９０は、付属の紙フィルタを支持するための受け部材であって、図３に示されるように、主に、本体部１９１、ツマミ部１９２、リブ１９３、底壁開閉レバー１９４および付勢部材（図示せず）から構成されている。以下、これらの構成要素について詳述する。
【００４８】
本体部１９１は、図３および図４に示されるように、主に、略逆切頭円錐形状の側壁部１９１ａと、開口ＯＰを有する底壁部１９１ｂとから構成されている。
【００４９】
ツマミ部１９２は、本体部１９１の側壁部１９１ａの上端の外縁部分から上方に向かって延びている。なお、本実施の形態では、このツマミ部１９２は、図１に示されるように、互いに対向するように２つ設けられている。なお、このツマミ部１９２は、使用者がフィルタ支持体１９０をつまみ上げやすくするために設けられている。
【００５０】
リブ１９３は、付属の紙フィルタと本体部１９１の側壁部１９１ａとの間に隙間を形成してコーヒー豆から奥深くコクのある味わいを抽出するためのものであって、図３に示されるように、複数設けられており、本体部１９１の側壁部１９１ａの内周面から側壁部１９１ａの軸に向かって延びている。
【００５１】
底壁開閉レバー１９４は、図３に示されるように、断面が略Ｌ字の板部材であって、主に、当接部１９４ａ、栓部１９４ｂおよび連結部１９４ｃから構成されており、前後方向に回動可能に本体部１９１の下部に軸支されている。なお、この底壁開閉レバー１９４は、付勢部材によって、栓部１９４ｂが底壁部１９１ｂの開口ＯＰを閉塞する方向に向かって付勢されている。当接部１９４ａは、立壁部分であって、レバー機構１７０のレバー１７１の第１当接部１７１ａが奥側に押し込まれたとき、レバー１７１の第２当接部１７１ｂに当接される（図４参照）。栓部１９４ｂは、本体部１９１の底壁部１９１ｂに形成される開口ＯＰを閉塞するためのものであって、底壁開閉レバー１９４の前端部に設けられている。連結部１９４ｃは、当接部１９４ａと栓部１９４ｂとを連結している。そして、当接部１９４ａがレバー１７１の第２当接部１７１ｂに当接されてそのまま押し込まれると、図４に示されるように、栓部１９４ｂが付勢部材の付勢力に逆らいながら下方に回動して、本体部１９１の底壁部１９１ｂに形成される開口ＯＰが開放される。
【００５２】
＜本発明の実施の形態に係るコーヒーメーカーの付属品＞
上述の通りに、本実施の形態に係るコーヒーメーカー１００には、コーヒーサーバー、カップ台２００（図８参照）、紙フィルタ、計量スプーンが付属している。
【００５３】
コーヒーサーバーは、例えば、ガラス製の単壁容器やステンレス製の真空二重容器等である。なお、このコーヒーサーバーの底には、載置台１６０の窪みに嵌合する円環リブが形成されている。
【００５４】
カップ台２００は、マグカップやコーヒーカップ等（図示せず）にコーヒー飲料を直接貯留するために使用されるものであって、図８に示されるように、主に、皿部２０１、立壁部２０２、一対の凹部２０３および円環リブ２０５から構成されており、載置台１６０に回転自在に載置され得る。皿部２０１は、図８に示されるように、主に、中央部２０１ａおよび外周部２０１ｂから構成されている。中央部２０１ａは、略円盤形状を呈している。外周部２０１ｂは、略逆切頭円錐筒形状を呈しており、中央部２０１ａの縁から外方に向かって延びている。そして、この皿部２０１の中央部２０１ａには、マグカップやコーヒーカップ等が載置される。また、外周部２０１ｂは、マグカップやコーヒーカップ等からコーヒー飲料が溢れ出た場合であっても、その溢れ出たコーヒー飲料をできるだけ皿部２０１の外に溢れ出るのを防ぐ役目を担っている。立壁部２０２は、図８に示されるように皿部２０１の外縁の約１／３の部分から略垂直方向に向かって立ち上がっている。なお、この立壁部２０２の高さは、レバー機構１７０のレバー１７１の第１当接部１７１ａに当接し得る高さとされている。また、平面視において、皿部２０１の中心から立壁部２０２の外周面までの距離（径）は、レバー機構１７０のレバー１７１の第１当接部１７１ａの側面に当接し得る距離（径）とされている。また、この立壁部２０２は、幅が皿部２０１の直径よりも狭く、レバー１７１の第１当接部１７１ａの幅よりも広くされている。円環リブ２０５は、図９に示されるように皿部２０１の裏側に形成されている。この円環リブ２０５は、図１０に示されるように載置台１６０の窪みに嵌合する。そして、このカップ台２００が載置台１６０に嵌合されると、図１０に示されるようにカップ台２００と載置台１６０との間に隙間ＴＩが生じる。この隙間ＴＩは、載置台１６０から生じる熱をカップ台２００に伝達させにくくする役割を担っている。また、このとき、円環リブ２０５の下面は、載置台１６０に接触しない状態となっている。凹部２０３は、図８に示されるように立壁部２０２の両端近傍に形成されており、皿部２０１からからコーヒー飲料が溢れ出た場合にその溢れ出たコーヒー飲料を特定の方向に流して載置台１６０を保護する役目を担っている。
【００５５】
紙フィルタは、逆円錐筒状を呈するフィルタであって、使用前は平面状に折り畳まれている。上述の通り、この紙フィルタは、コーヒー飲料製造時にフィルタ支持体１９０のリブ１９３によって支持される。そして、コーヒー飲料製造時に、この紙フィルタにはコーヒー豆等の原料が充填される。
【００５６】
計量スプーンは、コーヒー豆等の原料を量り取って紙フィルタにその原料を投入するためのものである。
【００５７】
＜本発明の実施の形態に係るコーヒーメーカーの使用方法＞
以下、本実施の形態に係るコーヒーメーカーの使用方法の一例を説明するが、本発明がこの使用方法に限定されることはない。
【００５８】
使用者は、先ず、水タンク１４０に必要量の水を投入した後、その水タンク１４０を下側筐体部１２２の水タンク収容部１２２ａに装着する。このとき、注液機構１２５および栓機構によって、水タンク１４０内の水が液輸送管ユニット１８０に流れ込む。
【００５９】
次に、使用者は、蓋体１３０を開状態とし、上側筐体部１２１の内側壁部１２１ｂにフィルタ支持体１９０を挿入した後、広げた紙フィルタをフィルタ支持体１９０に載置する。
【００６０】
続いて、使用者は、計量スプーンを用いてコーヒー豆等の原料を紙フィルタ上に投入した後、蓋体１３０を閉状態とする。
【００６１】
その後、使用者は、載置台１６０上にコーヒーサーバーを載置する。そして、このとき、コーヒーサーバーがレバー機構１７０のレバー１７１の第１当接部１７１ａを奥側に押し込んでレバー１７１を図３の状態から図４の状態とする。また、このとき、レバー１７１の第２当接部１７１ｂが前方に倒れ込んでフィルタ支持体１９０の底壁開閉レバー１９４の当接部１９４ａを押し、底壁開閉レバー１９４の栓部１９４ｂが付勢部材の付勢力に逆らいながら下方に回動して、フィルタ支持体１９０の底壁部１９１ｂに形成される開口ＯＰが開放される。
【００６２】
そして、使用者は、電源プラグを外部電源に接続した後、電源スイッチ１５０をオンにする。すると、電気回路が閉状態となってヒーターが発熱し出すと共に、紙フィルタ上のコーヒー豆等の原料に熱湯が供給される。なお、この熱湯は、第２連結管で水がヒーターによって加熱されることによって生成される。
【００６３】
その後、その熱湯は、コーヒー豆等の原料に接触しながらその成分を抽出し、コーヒー飲料となる。そして、そのコーヒー飲料は、フィルタ支持体１９０の底壁部１９１ｂの開口ＯＰを通って、コーヒーサーバーに貯留される。なお、コーヒー飲料のドリップ中、載置台１６０は、ヒーターによって温められているため、コーヒー飲料のドリップ中にコーヒーサーバー内のコーヒー飲料が冷めることがない。
【００６４】
なお、使用者がコーヒーサーバーの代わりにマグカップやコーヒーカップ等に直接コーヒー飲料をドリップする場合、使用者は、先ず、コーヒーサーバーの代わりにカップ台２００を載置台１６０上に載置する。なお、このとき、カップ台２００の立壁部２０２がレバー機構１７０のレバー１７１の第１当接部１７１ａを奥側に押し込んでいなければ、使用者は、カップ台２００を回す等して、立壁部２０２がレバー機構１７０のレバー１７１の第１当接部１７１ａを奥側に押し込む状態とする。すると、上述と同様に、フィルタ支持体１９０の底壁部１９１ｂの開口ＯＰが開放される。
【００６５】
＜本発明の実施の形態に係るコーヒーメーカーの特徴＞
（１）
本実施の形態に係るコーヒーメーカー１００では、カップ台２００を利用することによって、コーヒーカップやマグカップ等のカップに直接、コーヒー飲料等の成分抽出飲料を滴下させることができる。
【００６６】
（２）
本実施の形態に係るコーヒーメーカー１００では、立壁部２０２の幅が皿部２０１の直径よりも狭く、レバー１７１の第１当接部１７１ａの幅よりも広くされている。このため、このコーヒーメーカー１００では、カップ台２００にカップを挿入しやすくすることができると共に、立壁部２０２がレバー１７１を押し込んだ状態を安定的に維持することができる。
【００６７】
（３）
本実施の形態に係るコーヒーメーカー１００では、載置台１６０にカップ台２００を回転可能に載置することができ、載置台１６０上でカップ台２００が回転させられたとき、カップ台２００の立壁部２０２の側面がレバー１７１の第１当接部１７１ａに当接してそのままその背面でレバー１７１を奥側に押し込むことができる。このため、このコーヒーメーカー１００では、カップ台２００の装着方向に自由度を持たせることができる。
【００６８】
（４）
本実施の形態に係るコーヒーメーカー１００では、載置台１６０にカップ台２００が載置された際、載置台２００とカップ台２００との間に隙間ＴＩが生じる。このため、このコーヒーメーカー１００では、載置台１６０から生じる熱をカップ台２００に伝達させにくくすることができる。
【００６９】
＜変形例＞
（Ａ）
先の実施の形態ではコーヒーメーカー１００を説明したが、このコーヒーメーカーは、コーヒー豆以外の成分抽出飲料を製造する装置としても利用可能である。
【００７０】
（Ｂ）
先の実施の形態に係るコーヒーメーカー１００ではレバー１７１の第１当接部１７１ａの先端が半円形状とされていたが、第１当接部１７１ａの形状は、三角形であってもよいし、角が落とされた四角形であってもよいし、角丸の四角形であってもよい。
【００７１】
（Ｃ）
先の実施の形態に係るコーヒーメーカー１００ではレバー１７１において第１当接部１７１ａと連結部１７１ｃは、側面視または断面視において「く」の字または「Ｌ」字を形成していたが、第１当接部１７１ａと連結部１７１ｃは、側面視または断面視において円弧形状とされていてもよい。
【００７２】
（Ｄ）
先の実施の形態では特に言及しなかったが、カップ台２００の裏面に位置決めリブを形成すると共に載置台１６０の近傍にその位置決めリブに嵌合する位置決め溝を形成してもよい。この位置決めリブは、円環リブ２０５の内側に設けられてもよいし、円環リブ２０５の外側に設けられてもよい。この位置決めリブと位置決め溝によって、載置台１６０の位置決め溝に位置決めリブが嵌合しなければレバー１７１を押し込むことができないようにすることができる。
【００７３】
（Ｅ）
先の実施の形態では特に言及しなかったが、カップ台２００の立壁部２０２の背面に左右一対のストッパーリブを形成してもよい。なお、このストッパーリブは、レバー１７１の第１当接部１７１ａと同じ高さ位置に設けられる。このストッパーリブは、カップ台２００が不意に回転してしまったとき、カップ台２００の立壁部２０２がレバー１７１から不用意に外れてしまうことを防止することができる。
【００７４】
（Ｆ）
先の実施の形態に係るカップ台２００では皿部２０１の裏側に円環リブ２０５が設けられたが、この円環リブは、一部が切りかかれていてもよい（すなわち、破線状となっていてもよい。）。
【００７５】
（Ｇ）
先の実施の形態では特に言及しなかったが、載置台１６０の近傍およびカップ台２００に位置決めの用の刻印を施してもよい。
【００７６】
（Ｈ）
先の実施の形態に係るカップ台２００では立壁部２０２が略部分円筒形状とされていたが、立壁部２０２の形状は特に限定されず、一部が切りかかれて、例えば、正面視においてＴ字型、門型、鉤型等の形状を呈するようにされてもよい。すなわち、このカップ台２００には、レバー１７１の第１当接部１７１ａに当接する部分があればよく、その当接部分が支持体を介して皿部２０１に連結されていてもよい。また、この立壁部（レバー１７１の第１当接部１７１ａに当接する部分を含む）には、本発明の主旨を損なわない限り、穴等が形成されていてもよいし、表面加工が施されていてもよい。
【符号の説明】
【００７７】
１００      コーヒーメーカー（成分抽出式飲料製造装置）
１６０      載置台（固定部）
１９４      底壁開閉レバー（開閉機構）
２００      カップ台（保持体，容器台）
２０１      皿部（台部）
２０２      立壁部（保持体）
２０５      嵌合部（被固定部）
ＳＰ        容器収容空間
【図１】
2015223397.tif 000003
【図２】
2015223397.tif 000004
【図３】
2015223397.tif 000005
【図４】
2015223397.tif 000006
【図５】
2015223397.tif 000007
【図６】
2015223397.tif 000008
【図７】
2015223397.tif 000009
【図８】
2015223397.tif 000010
【図９】
2015223397.tif 000011
【図１０】
2015223397.tif 000012